(57)【要約】【課題】  階段の養生作業を簡易にして、かつ速やかに行うことができる階段用養生カバーユニットを提供すること。【解決手段】  階段の各段の踏み面１００上に置かれる踏み面部３とけこみ面部４を有する養生カバー体２と、前記踏み面部３及びけこみ面部４の内側に設けられた着脱自在な係着部材５、６を含む内側養生カバー１と、該内側養生カバー１の踏み面部３上に重ね置かれる踏み面部１２とけこみ面部１３を有する養生カバー体１２と、前記踏み面部１２及びけこみ面部１３の内側には設けられた着脱自在な係着部材１４、１５を含み、かつ前記内側養生カバー１の養生カバー体２とは外見上区別可能な外側養生カバー１０とを備え、階段の各踏み面１００上に置かれた内側養生カバー１に互いの係着部材同士の係着をもって外側養生カバー１０が連続的に組み付けられて階段の踏み面１００及びけこみ面１０１が養生される。【選択図】    図１
2006028731.tif 000002
【特許請求の範囲】
【請求項１】
建物の建築が完了するまでの間、階段の踏み面（１００）及びコーナーを含むけこみ面（１０１）の汚れや損傷等を防止するための階段用養生カバーユニットであって、
該階段用養生カバーユニットは、
前記階段の各段の踏み面（１００）に略適合した形状にして各踏み面（１００）上に置かれる踏み面部（３）と、該踏み面部（３）から起立状に連設されたけこみ面部（４）を有する養生カバー体（２）と、該養生カバー体（２）の前記踏み面部（３）及びけこみ面部（４）の内側に設けられた着脱自在な係着部材（５）、（６）を含む内側養生カバー（１）と、
該内側養生カバー（１）の前記踏み面部（３）上に重ね置かれる踏み面部（１２）と、該踏み面部（１２）から起立状に連設されたけこみ面部（１３）を有する養生カバー体（１１）と、該養生カバー体（１１）の前記踏み面部（１２）及びけこみ面部（１３）の内側に設けられた着脱自在な係着部材（１４）、（１５）を含み、かつ前記内側養生カバー（１）とは外見上区別可能な外側養生カバー（１０）と
を備え、
前記階段の各踏み面（１００）上に、前記内側養生カバー（１）の踏み面部（３）がその前記係着部材（５）の取り付け面を外側に向けて置かれ、該内側養生カバー（１）の踏み面部（３）には、前記外側養生カバー（１０）の踏み面部（１２）が互いの前記係着部材（５）、（１４）同士の係着をもって重ね置かれるとともに、該外側養生カバー（１０）のけこみ面部（１３）が、前記内側養生カバー（１）の置かれた段の下の段に置かれた内側養生カバー（１）のけこみ面部（４）にその互いの前記係着部材（１５）、（６）同士の係着をもって組み付けられ、以下同様に前記内外養生カバー（１）、（１０）が連続的に組み付けられて階段の踏み面（１００）及びけこみ面（１０１）が養生される構成を特徴とする階段用養生カバーユニット。
【請求項２】
前記外側養生カバー（１０）の踏み面部（１２）の外表面長手方向に滑り止め部材（１６）が設けられている請求項１の階段用養生カバーユニット。
【請求項３】
前記内側養生カバー（１）及び外側養生カバー（１０）の養生カバー体（２）、（１１）は、プラスチック段ボール材から形成されたものである請求項１の階段用養生カバーユニット。
【請求項４】
前記内側養生カバー（１）と前記外側養生カバー（１０）は、それぞれの前記養生カバー体全体の着色の色分けにより外見上区別可能になっている請求項１の階段用養生カバーユニット。
【請求項５】
前記着脱自在な係着部材（５）、（６）、（１４）、（１５）は、基布（１７）上に多数のループ部分（１８）と多数のフック部分（１９）が混在する面状ファスナである請求項１の階段用養生カバーユニット。
【請求項６】
前記滑り止め部材（１６）は、粗面を有する滑り止めテープである請求項２の階段用養生カバーユニット。
【発明の詳細な説明】
【技術分野】
【０００１】
本発明は、家屋等の建築工事中、或いは工事完成から入居するまでの間において、階段の踏み面及びコーナーを含むけこみ面の日焼けや汚れ、損傷等を防止するための階段用養生カバーユニットに関するものである。
【背景技術】
【０００２】
従来この種技術としては、例えば、下記の特許文献１、特許文献２に記載されているものが知られている。
【特許文献１】特開平４−３７１６７４号公報
【特許文献２】実用新案登録第２５１５５５９号公報
【０００３】
特許文献１に記載されている階段用養生シートは、階段の各段の踏み板の部分に敷かれる足載せ部と、この足載せ部から前方へ延び、かつ下方へ折り曲げ可能な折曲げ代を有する養生シートである。
【０００４】
この階段用養生シートは、使用時においては、その足載せ部を階段の各段の踏み板に合わせるようにしてその上に載せ、足載せ部及び折曲げ代の両側において別に用意された粘着テープをもって階段に粘着固定しなければならず、又、この粘着テープによる固定作業は階段の各段毎に行わなければならなかった。  
【０００５】
従って、この養生シートにあっては、その都度粘着テープを両側に、しかも各段毎に取り付け、又、各段毎に粘着テープを剥がさなければならないため、養生作業に多くの時間と余計な労力を要し、かつ大変に面倒であって作業性が悪いばかりか、粘着テープを剥がす場合には、被養生面である踏み板面にのりやテープ跡が残ってしまってベタベタし、これにゴミ等が付着して汚れ、物件引渡し時におけるクリーニング仕上げが難しいという問題点があった。
【０００６】
特許文献２に記載されている階段踏面体のカバー部材は、踏面体の上面形状と適合した吸着脱自在なシート部材とこのシート部材上に積層接着された発泡樹脂クッション部材及びこのクッション部材上の踏面体側辺寄りに接着固定された軟質樹脂製の滑り止め体を含むカバー部材である。
【０００７】
このカバー部材は、粘着剤による粘着でなく、シート部材におけるウレタンフォーム吸着層の微細孔の吸盤作用による吸着脱であって、これを剥がすときにも、吸着面に跡を残すことがないから、この点においては優れてはいるものの、階段の各段毎にシート部材を踏み板に合わせるようにして吸着させなければならないため、その位置きめや吸着が面倒で、作業性が悪いという問題点があった。
【発明の開示】
【発明が解決しようとする課題】
【０００８】
本発明が解決しようとする問題点は、階段の各段毎に養生シート或いは養生カバーを着脱しなければ、階段全体を養生保護し得ないという点である。
【０００９】
従って、本発明の目的は、階段の各段毎に養生シート或いはカバーを着脱することなく、階段上に内側養生カバーを載せ置き、この上に外側養生カバーを連続的に組み付け、階段の終始端のカバーをテープ等で部分仮止めするだけで階段全体を一時的に養生保護することができ、養生したい時に素人でも簡単に行うことができる作業性に優れた階段用養生カバーユニットを提供することにある。
【００１０】
又、本発明の目的は、同一の内外養生カバーを何回でも再使用することができる経済性に優れた階段用養生カバーユニットを提供することにある。
【００１１】
又、本発明の目的は、耐候性に優れ、特に、コンクリートモルタル仕上げ階段の養生に好適な階段用養生カバーユニットを提供することにある。
【００１２】
これらの目的のため、本発明の請求項1に記載の階段用養生カバーユニットは、建物の建築が完了するまでの間、階段の踏み面及びコーナーを含むけこみ面の汚れや損傷等を防止するための階段用養生カバーユニットであって、該階段用養生カバーユニットは、前記階段の各段の踏み面に略適合した形状にして各踏み面上に置かれる踏み面部と、該踏み面部から起立状に連設されたけこみ面部を有する養生カバー体と、該養生カバー体の前記踏み面部及びけこみ面部の内側に設けられた着脱自在な係着部材を含む内側養生カバーと、該内側養生カバーの前記踏み面部上に重ね置かれる踏み面部と、該踏み面部から起立状に連設されたけこみ面部を有する養生カバー体と、該養生カバー体の前記踏み面部及びけこみ面部の内側に設けられた着脱自在な係着部材を含み、かつ前記内側養生カバーとは外見上区別可能な外側養生カバーとを備え、前記階段の各踏み面上に、前記内側養生カバーの踏み面部がその前記係着部材の取り付け面を外側に向けて置かれ、該内側養生カバーの踏み面部には、前記外側養生カバーの踏み面部が互いの前記係着部材同士の係着をもって重ね置かれるとともに、該外側養生カバーのけこみ面部が、前記内側養生カバーの置かれた段の下の段に置かれた内側養生カバーのけこみ面部にその互いの前記係着部材同士の係着をもって組み付けられ、以下同様に前記内外養生カバーが連続的に組み付けられて階段の踏み面及びけこみ面が養生される構成を特徴とするものである。
【００１３】
本発明の請求項２に記載の階段用養生カバーユニットは、前記外側養生カバーの踏み面部の外表面長手方向に滑り止め部材が設けられていることを特徴とするものである。
【００１４】
本発明の請求項３に記載の階段用養生カバーユニットは、前記内側養生カバー及び外側養生カバーの養生カバー体は、プラスチック段ボール材から形成されたものであることを特徴とするものである。
【００１５】
本発明の請求項４に記載の階段用養生カバーユニットは、前記内側養生カバーと前記外側養生カバーは、それぞれの前記養生カバー体全体の着色の色分けにより外見上区別可能になっていることを特徴とするものである。
【００１６】
本発明の請求項５に記載の階段用養生カバーユニットは、前記着脱自在な係着部材は、基布上に多数のループ部分と多数のフック部分が混在する面状ファスナであることを特徴とするものである。
【００１７】
本発明の請求項６に記載の階段用養生カバーユニットは、前記滑り止め部材は、粗面を有する滑り止めテープであることを特徴とするものである。
【発明の効果】
【００１８】
請求項1及び４、５に記載の発明によれば、現場における階段各段毎の粘着テープの切断、粘着やシート部材の踏み板に合わせての吸着等面倒な作業をする必要がなくなり、養生すべき階段踏み面上に内側養生カバーを載せ置き、この上に外側養生カバーを互いの着脱自在な係着部材同志の係着により連続的に組み付け、階段の終始端のカバーをテープ等で部分仮止めするだけで階段全体を一時的に養生保護することができものであるから、熟練を要することなく、素人でも簡単にして、かつ速やかに、しかも養生したい時に日焼け防止、汚れ防止、傷防止等の階段の養生保護ができ、作業時間の短縮化と人件費の低減化等が可能となり、又、何回でも再使用が可能であるから経済性に優れるものである。
【００１９】
又、内側養生カバーと外側養生カバーは、好ましくは、全体着色の色分けによって外見上区別可能とされているから、現場での作業において内外養生カバーの取り違えがなく、着実にして、かつ極めて迅速に養生作業を行うことができる。
【００２０】
請求項２及び６に記載の発明によれば、雨天時における濡れによる滑りの危険性が少なくなって、養生カバー上を上がり下がりする作業員にとって安全である。
【００２１】
請求項３に記載の発明によれば、耐候性に優れているから、外部の風雨や露、紫外線、熱等にさらされるコンクリートモルタル仕上げの階段の養生として好適である。
【発明を実施するための最良の形態】
【００２２】
以下に図面を参照して、本願に係る発明を実施するための最良の形態についてその作用と共に説明する。
【００２３】
図１は、本発明に係る階段用養生カバーユニットの一例での一部省略の断面図で、使用状態を示している。本階段用養生カバーユニットは、内側養生カバー１と外側養生カバー１０から構成されている。
【００２４】
内側養生カバー１と外側養生カバー１０は、それぞれ養生カバー体２、１１を含んでいるが、これら養生カバー体２、１１は紙段ボール、強靭な加工厚紙、プラスチック板材をもって形成されるが、好ましくは、図示のように、一定方向に等間隔で多数の中空部が押し出し成型により一体成型された耐候性に優れるプラスチック段ボール材をもって一体に形成されている。
【００２５】
養生カバー体２と係着部材を含む内側養生カバー１は、図２から図４にその一部を省略して示されている。
【００２６】
図示されているように、養生カバー体２は、階段の踏み面１００に略適合した形状の踏み面部３と、該踏み面部３から熱による折り加工によって起立状に一体形成の階段のけこみ面１０１に適合したけこみ面部４を有し、断面略Ｌ形にして、かつ踏み面部３の幅は、踏み面１００の幅よりもやや狭く形成されている。
【００２７】
そして、踏み面部３とけこみ面部４の内側にして、かつその両側には着脱自在な係着部材５、６が粘着されている。
【００２８】
養生カバー体１１と係着部材、滑り止め部材を含む外側養生カバー１０は、図５から図９にその一部を省略し、または拡大して示されている。
【００２９】
図示されているように、養生カバー体１１は、踏み面部３上に重ね置かれる踏み面部１２と、該踏み面部１２から熱による折り加工によって起立状に一体形成のけこみ面部１３を有し、断面略Ｌ形にして、かつ踏み面部１２の幅は、踏み面部３の幅よりもやや広く形成されている。
【００３０】
そして、踏み面部１２とけこみ面部１３の内側にして、かつ係着部材５，６と対応する両側には着脱自在な係着部材１４、１５が粘着されており、又、踏み面部１２の外表面長手方向には滑り止め部材１６が粘着されている。
【００３１】
内側養生カバー１と外側養生カバー１０は、一見して外見上明確に区別可能であり、この区別方法としては、それぞれの養生カバー体２、１１の全体を２色に着色、例えば、養生カバー体２を青色に、養生カバー体１１をグレー色に着色（色違いのプラスチック段ボール材が用いられる）することにより行われ、これにより、階段の踏み面１００上に敷き置かれる内側養生カバー１と、該内側養生カバー１の上に重ね定置される外側養生カバー１０とが明確に目視区別されて両者を取り違えるということはなくなり、養生の作業性が格段に向上する。
【００３２】
又、外側養生カバー１０の踏み面部１２に、例えば「養生中」の文字等を表示すれば、一見して養生中であることが目視し得て、注意を喚起し得るものである。
【００３３】
着脱自在な係着部材５、６、１４、１５は、公知のベルベットテープ等が用いられ、このベルベットテープの場合においては、内側養生カバー１の係着部材５、６は雄面となっており、外側養生カバー１０の係着部材１４、１５は雌面となっている。
【００３４】
着脱自在な係着部材５、６、１４、１５はベルベットテープの他、図１０及び図１１に示されているように、基布１７の一方の同一面上に多数のループ部分１８と多数のフック部分１９が混在する構成の公知の面状ファスナであってもよい。
【００３５】
この面状ファスナの場合には、内外側養生カバー１、１０の係着部材５、６、１４、１５は全て同じ面状ファスナとされる。
【００３６】
又、外側養生カバー１０に設けられている滑り止め部材１６としては、粗面を有する公知の滑り止めテープが用いられている。
【００３７】
このように構成された本養生カバーユニットは、図１及び図１２に示されているように、階段の各踏み面１００上と各けこみ面１０１に、内側養生カバー１の踏み面部２がその係着部材５の取り付け面を外側に向けて置かれるとともに、けこみ面部４をけこみ面１０１に当てて置かれ、次いで、内側養生カバー１の踏み面部２には、外側養生カバー１０の踏み面部１２が互いの係着部材５、１４同士の係着をもって重ね置かれるとともに、該外側養生カバー１０のけこみ面部１３が、内側養生カバー１の置かれた段の下の段上に前記同様にして置かれた内側養生カバー１のけこみ面部４にその互いの係着部材同士１５、６の係着をもって組み付けられ、以下同様にして順次内外側養生カバー１、１０が連続的に組み付けられ、始端と終端においては、公知の粘着テープ２０、２１により部分仮止めされる。
【００３８】
なお、踏み面１００やけこみ面１０１の高さによる内外側養生カバー１、１０の組み付け部位の調整は、両養生カバー１、１０の係着部材５、１４と係着部材６、１５の係着位置の調整によりなされる。
【００３９】
内側養生カバー１は、外側養生カバー１０の押さえと安定性を得ることを目的とするもので、養生後においては、全ての内側養生カバー１は外側養生カバー１０に隠れて外部からは見えず、例えばグレー色の外側養生カバー１０だけが恰も階段のように見え、外観体裁上良好な状態で、階段の養生保護がなされる。
【００４０】
養生を終えて本養生カバーユニットを取り除く場合には、終始端の部分仮止めテープ２０、２１を剥がし、各外側養生カバー１０を各内側養生カバー１から係着部材の引き離しをもって組み離せば、階段の踏み面１００とけこみ面１０１に何らの跡も残すことなく、養生前における最初のままの状態に戻すことができる。
【００４１】
なお、図１において、内側養生カバー１と外側養生カバー１０は非接合の状態で表されているが、これは断面構造を明確化するためであって、実際においては一体的に接合されている。
【００４２】
又、図１２においては、内外側養生カバー１、１０の連続した組み付け状態を説明するため、両養生カバー１、１０は線図的に表されている。
【図面の簡単な説明】
【００４３】
【図１】本発明に係る階段用養生カバーユニットの一例での使用状態における一部省略の断面図である。
【図２】内側養生カバーの一部省略の正面図である。
【図３】内側養生カバーの平面図である。
【図４】内側養生カバーの一部省略の側面図である。
【図５】外側養生カバーの一部省略の正面図である。
【図６】外側養生カバーの平面図である。
【図７】外側養生カバーの一部省略の側面図である。
【図８】図６における部分拡大断面図である。
【図９】図７における部分拡大断面図である。
【図１０】面状ファスナの断面図である。
【図１１】面状ファスナの接合機能面の部分拡大説明図である。
【図１２】本発明の使用状態の線図的説明図である。
【符号の説明】
【００４４】
１    内側養生カバー
２、１１    養生カバー体
３、１２    踏み面部
４、１３    けこみ面部
５、６、１４、１５    係着部材  
１０    外側養生カバー  
１６    滑り止め部材
１７    基布
１８    ループ部分
１９    フック部分
１００    階段踏み面
１０１    階段けこみ面
【図１】
2006028731.tif 000003
【図２】
2006028731.tif 000004
【図３】
2006028731.tif 000005
【図４】
2006028731.tif 000006
【図５】
2006028731.tif 000007
【図６】
2006028731.tif 000008
【図７】
2006028731.tif 000009
【図８】
2006028731.tif 000010
【図９】
2006028731.tif 000011
【図１０】
2006028731.tif 000012
【図１１】
2006028731.tif 000013
【図１２】
2006028731.tif 000014